(57)【要約】【課題】し渣混合汚水のもつエネルギを用いて無動力で汚水とし渣とを分離し、かつし渣の水切りをしつつ搬送するようにしたし渣の分離移送装置を提供すること。【解決手段】沈砂分離装置Ｂからオーバーフローさせたし渣混合汚水を供給するケーシング２内に、し渣混合汚水のもつエネルギにて回転駆動する駆動パドル３と、この駆動パドル３にて回転駆動するし渣洗浄搬送用のスクリューコンベア４とを配設する。【選択図】図１
2005342545.tif 000002
【特許請求の範囲】
【請求項１】
沈砂分離装置からオーバーフローさせたし渣混合汚水を供給するケーシング内に、し渣混合汚水のもつエネルギにて回転駆動する駆動パドルと、該駆動パドルにて回転駆動するし渣洗浄搬送用のスクリューコンベアとを配設して構成したことを特徴とするし渣の分離搬送装置。
【請求項２】
スクリューコンベアのスクリューケーシングに水切り用の排水孔を形成したことを特徴とする請求項１記載のし渣の分離搬送装置。
【請求項３】
スクリューコンベアのスクリューに清掃用のブラシを取り付けたことを特徴とする請求項１又は２記載のし渣の分離搬送装置。
【請求項４】
スクリューコンベアを先端側が高くなるよう傾斜して配設したことを特徴とする請求項１、２又は３記載のし渣の分離搬送装置。
【発明の詳細な説明】
【技術分野】
【０００１】
本発明は、し渣の分離移送装置に関し、特に、下水処理場内の沈砂池より回収され、固液分離装置等の沈砂（汚砂を含み、以下「沈砂」という。）の洗浄工程で分離したし渣（夾雑物）を、し渣混合汚水のもつエネルギを用いて無動力で汚水と分離し、かつ水切りをしつつ搬送するようにしたし渣の分離移送装置に関するものである。
【背景技術】
【０００２】
従来、下水処理場や浄水場等の沈砂池からポンプを用いて揚砂された沈砂（汚砂）は、比重差分離、遠心分離等を用いた固液分離装置により、沈砂の洗浄中に浮遊する夾雑物を越流水と共に越流させ、底部に沈殿する砂分のみを回収するようにしている。
そして、沈砂から分離されたし渣と汚水は除塵機などの処理装置へ搬送し、該汚水中からし渣分をスクリーン等を介して捕捉し、これをレーキにて掻き揚げ排出するようにしている。
【０００３】
ところで、近年、汚水の排水基準が厳しくなり、し渣が含まれている汚水は、直接河川などに排水することができず、除塵機などにてし渣分を除去するようにしているが、小規模処理場などのようにし渣を含む汚水の処理量が少ない場合には、この除塵機を設置することで設備投資が増大するものとなり、不経済であるとともに、汚水処理施設の近傍に動力源がない場合には、動力式の除塵機を設置できないという問題があった。
また、沈砂から分離されたし渣（夾雑物）は、含水率が高く、腐敗し易いため、臭気の発生等の衛生上の問題を有していた。
【発明の開示】
【発明が解決しようとする課題】
【０００４】
本発明は、上記従来のし渣処理の有する問題点に鑑み、し渣混合汚水のもつエネルギを用いて無動力で汚水とし渣とを分離し、かつし渣の水切りをしつつ搬送するようにしたし渣の分離移送装置を提供することを目的とする。
【課題を解決するための手段】
【０００５】
上記目的を達成するため、本発明のし渣の分離移送装置は、沈砂分離装置からオーバーフローさせたし渣混合汚水を供給するケーシング内に、し渣混合汚水のもつエネルギにて回転駆動する駆動パドルと、該駆動パドルにて回転駆動するし渣洗浄搬送用のスクリューコンベアとを配設して構成したことを特徴とする。
【０００６】
この場合において、スクリューコンベアのスクリューケーシングに水切り用の排水孔を形成することができる。
【０００７】
また、スクリューコンベアのスクリューに清掃用のブラシを取り付けることができる。
【０００８】
また、スクリューコンベアを先端側が高くなるよう傾斜して配設することができる。
【発明の効果】
【０００９】
本発明のし渣の分離移送装置によれば、沈砂分離装置からオーバーフローさせたし渣混合汚水を供給するケーシング内に、し渣混合汚水のもつエネルギにて回転駆動する駆動パドルと、該駆動パドルにて回転駆動するし渣洗浄搬送用のスクリューコンベアとを配設して構成するようにしているから、他の動力を用いることなく、し渣混合汚水のもつエネルギを用いて無動力でし渣と汚水と分離することができ、現場に動力源のない箇所においても簡易に使用することができ、かつ分離除去したし渣の水切りをしつつ所定位置まで搬送することができる。
【００１０】
また、スクリューコンベアのスクリューケーシングに水切り用の排水孔を形成しているから、し渣混合汚水をスクリューコンベアに供給するだけでし渣の洗浄と水切りとを行うことができる。
【００１１】
また、スクリューコンベアのスクリューに清掃用のブラシを取り付けているので、スクリューコンベアを駆動することで、自動的にスクリューケーシングの清掃を行い、スクリューケーシングに形成した水切り用の排水孔の目詰まりを防止することができる。
【００１２】
また、スクリューコンベアを先端側が高くなるよう傾斜して配設しているから、スクリューコンベア先端から排出されるし渣の水切りが容易に、確実に行うことができる。
【発明を実施するための最良の形態】
【００１３】
以下、本発明のし渣の分離移送装置の実施の形態を、図面に基づいて説明する。
【実施例１】
【００１４】
図１〜図３に、本発明のし渣の分離移送装置の一実施例を示す。
沈砂池内などから回収され、ポンプ圧送された所定量の沈砂混合水を導入して、この沈砂混合水（又は洗浄水）にて洗浄するようにした沈砂洗浄機を兼ねた沈砂分離装置Ｂで、沈砂を攪拌洗浄し、し渣分を汚水と共に本発明のし渣の分離移送装置Ａに送り、ここでさらに汚水とし渣分とを分離しつつ、し渣を所定の処理施設、特に限定されるものではないが、例えば、し渣脱水機Ｄまで搬送するようにする。
【００１５】
このし渣の分離移送装置Ａは、図１〜図２に示すように、沈砂洗浄機を兼ねた沈砂分離装置Ｂ等からオーバーフローさせ、給水管１を介して送られてくるし渣混合汚水を受水するよう、筺型をしたケーシング２と、このケーシング２内に回転可能に配設し、給水管１からのし渣混合汚水のもつ排水エネルギにて回転駆動するようにした駆動パドル３と、このケーシング２を貫通し、かつ駆動パドル３の下方位置に配設したし渣洗浄搬送用のスクリューコンベア４とから構成するようにしている。
【００１６】
筺型をしたケーシング２は、上部に給水管１を、底部に排水管５をそれぞれ接続して給水管１からケーシング２内に供給されたし渣混合汚水を、し渣洗浄搬送用のスクリューコンベア４にてし渣分を分離除去した汚水分のみを底部の排水管５から排水するように形成する。なお、このケーシング２の形状は、特に限定されるものではない。
【００１７】
また、このケーシング２内上部には、駆動パドル３を配設する。この駆動パドル３は、給水管１の接続部の下方位置に配設するもので、これにより給水管１から排出されるし渣混合汚水がこの駆動パドル３の羽根３１に直接衝突するようにして、汚水のもつエネルギを利用して該駆動パドル３を回転駆動するようにする。
駆動パドル３は、外周に複数枚の羽根３１（図示の実施例では４枚）を突設した軸３２をケーシング２に取り付けた軸受３３、３３にて回転可能に支持するとともに、その一端側をケーシング２の外側に突出させ、この軸端にプーリー又はギア３４を取り付け、駆動パドル３の回転駆動力をベルト又はチェンなどの動力伝達機構６を介してスクリューコンベア４側に伝達するようにする。
【００１８】
し渣洗浄搬送用のスクリューコンベア４は、上部面が開口した、特に限定されるものではないが、例えば、Ｕ字形をしたスクリューケーシング４１をケーシング２内より一側部の外部に突出するようにして配設し、このスクリューケーシング４１内に、スクリュー軸４２の外周に羽根を螺旋状に配設し、スクリュー軸と一体したスクリュー４３を配設し、このスクリュー軸４２をケーシング２に取り付けた軸受４４にて回転可能に支持するとともに、このスクリュー軸４２の外端にプーリー又はギア４５を取り付け、該プーリー又はギア４５と前記駆動パドル３側のプーリー又はギア３４間にベルト又はチェンなどの動力伝達機構６を張架する。
【００１９】
なお、スクリューケーシング４１は、金属板をＵ字形に屈曲形成して構成するが、この場合、少なくともケーシング２内に挿通する部分には排水孔４１ｈを穿設してスクリューケーシング４１内に供給される汚水を下方へ排水できるようにする。このため、スクリューケーシング４１を形成する金属板としてパンチングメタルを用いることができる。
また、スクリュー羽根の間のスクリュー軸４２には、ブラシ４６を突設し、これによりスクリュー４３がスクリューケーシング４１内にて回転する際、該ブラシ４６の先端部がスクリューケーシング４１内周面を摺接するようにして清掃し、スクリューケーシング４１の排水孔４１ｈの目詰まりを防止するようにする。
【００２０】
図３は、本発明のし渣の分離搬送装置Ａを、固液分離を行う沈砂洗浄機を兼ねた沈砂分離装置Ｂと組み合わせて沈砂池からの揚砂を一環処理する設備を示す実施例である。
この場合、沈砂洗浄機を兼ねた沈砂分離装置Ｂの下部には固液分離された沈砂を排出するためのスクリューコンベアＣを配置し、また、沈砂分離装置Ｂの上部からオーバフローするし渣混合汚水を排出し、し渣の分離搬送装置Ａへ供給するための給水管１を沈砂分離装置Ｂに接続する。
また、し渣の分離搬送装置Ａのし渣洗浄搬送用のスクリューコンベア４の先端部をし渣脱水機Ｄに接続する。これにより、沈砂池からの揚砂を一環処理するようにする。
【００２１】
次に、本発明のし渣の分離搬送装置Ａの作用について説明する。
給水管１からケーシング２内に供給されるし渣混合汚水は、駆動パドル３の羽根３１に直接衝突し、これにより駆動パドル３は回転駆動する。この駆動力及びその回転速度は、給水管１から供給されるし渣混合汚水の流速及び量によって定まる。
給水管１から駆動パドル３の羽根３１に衝突したし渣混合汚水は、駆動パドル３の下方位置に配設されたスクリューケーシング４１内に落下し、汚水はスクリューケーシング４１の排水孔４１ｈを経て下方のケーシング２内底部に落下し、集水されて排水管５より外部に排水される。
【００２２】
また、一方このスクリューケーシング４１内にて捕捉されたし渣は、駆動パドル３による回転駆動力を動力伝達機構６を介してスクリュー４３に伝達されているので、このスクリュー４３の回転にてスクリューケーシング４１内をその出口側に向かって搬送される。このとき、スクリュー４３にブラシ４６が突設されているので、ブラシの先端部がスクリューケーシング４１内周面を摺接するようにして清掃し、スクリューケーシング４１の目詰まりを防止してスクリューケーシング４１からの排水が確実に行われるようになる。
【００２３】
また、前記実施例では、ケーシング２に突設するし渣洗浄搬送用のスクリューコンベア４をほぼ水平方向としているが、水切りをより確実に行うため、スクリューコンベア４の先端側（排出側）を、駆動される基端側より高くなるよう傾斜をつけることもできる。
なお、給水管１から供給されるし渣混合汚水量が少なく、スクリューコンベア４を駆動できないときにおいて、強制的に該スクリューコンベア４を駆動できるようにする。これはスクリュー軸４２の端にモータ等の強制駆動装置（図示省略）を備えることにより行うことができる。
【００２４】
以上、本発明のし渣の分離搬送装置について、実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明のし渣の分離搬送装置は、給水管から供給されるし渣混合汚水のもつエネルギを利用してし渣洗浄搬送用のスクリューコンベアを駆動して分離したし渣を無動力で搬送するという特性を有していることから、し渣の分離搬送装置の用途に好適に用いることができるほか、例えば、上向流式沈砂分離機や矩形型の沈砂分離機の用途にも用いることができる。
【図面の簡単な説明】
【００２６】
【図１】本発明のし渣の分離搬送装置の一実施例を示す正面縦断面図である。
【図２】同側面図である。
【図３】本発明のし渣の分離搬送装置を沈砂洗浄機と組み合わせて沈砂池からの揚砂を一環処理する設備を示す説明図である。
【符号の説明】
【００２７】
Ａ    し渣の分離搬送装置
Ｂ    沈砂洗浄機を兼ねた沈砂分離装置
Ｃ    スクリューコンベア
Ｄ    し渣脱水機
１    給水管
２    ケーシング
３    駆動パドル
３１  羽根
３２  軸
３３  軸受
３４  プーリー又はギア
４    スクリューコンベア
４１  スクリューケーシング
４２  スクリュー軸
４３  スクリュー
４４  軸受
４５  プーリー又はギア
５    排水管
６    動力伝達機構
【図１】
2005342545.tif 000003
【図２】
2005342545.tif 000004
【図３】
2005342545.tif 000005